(57)【要約】【課題】  カプセルの姿勢が変化してもカプセル表面の磁束密度の変動が抑制されており、且つ、カプセル表面の磁束密度のバラツキが少ない磁気ネックレスを提供する。【解決手段】  本発明の磁気ネックレス１は、多数の略楕円体のカプセル３と多数の略球体のカプセル５とを有している。カプセル３とカプセル５とは隣り合っており、連結棒７によって交互に連結され、ひも状部材ｒを構成している。一部のカプセル３には永久磁石体９が収容されている。カプセル３内には、カプセル３の軸Ａｘに沿って延びる円柱状の永久磁石体９と、永久磁石体９の側面９ｃを覆うように円筒状のカバー７０と、が設けられている。カバー７０は、永久磁石体９がカプセル３の軸Ａｘと略同軸となるように永久磁石体９を保持している。【選択図】  図２
2005131120.tif 000002
【特許請求の範囲】
【請求項１】
筒状のカプセルと、
前記カプセルに接続されており、環を形成可能なひも状部材と、
前記カプセル内に収容されており前記カプセルの軸に沿って延びる柱状の永久磁石体と、
前記永久磁石体が前記カプセルの軸と略同軸となるように前記永久磁石体を保持するスペーサと、
を備える磁気ネックレス。
【請求項２】
前記ひも状部材は、複数のカプセルと、隣り合う前記複数のカプセル同士を連結する連結部と、を備えることを特徴とする請求項１に記載の磁気ネックレス。
【請求項３】
前記スペーサは、前記永久磁石体の側面を覆う筒状体であることを特徴とする請求項１又は２に記載の磁気ネックレス。
【請求項４】
前記スペーサの両端部は、前記永久磁石体の各端面に向かって曲げられていることを特徴とする請求項３に記載の磁気ネックレス。
【請求項５】
前記カプセルの両端部は各々先細状にされていることを特徴とする請求項１〜４のいずれか一項に記載の磁気ネックレス。
【請求項６】
前記スペーサは非磁性の材料から形成されていることを特徴とする請求項１〜５のいずれか一項に記載の磁気ネックレス。
【請求項７】
前記スペーサと、前記カプセルとは同一材料から形成されていることを特徴とする請求項１〜６のいずれか一項に記載の磁気ネックレス。
【発明の詳細な説明】
【技術分野】
【０００１】
本発明は、磁気ネックレスに関する。
【背景技術】
【０００２】
従来、永久磁石体が収容されたカプセルと、カプセルの両端に設けられたフックと、フックに取り付けられ、隣り合うカプセルを連結するリング鎖とを備える磁気ネックレスが知られている（例えば、特許文献１参照）。このリング鎖は、複数のリングを連結して成る鎖である。
【０００３】
また、ネジによってカプセルの両端にリングが取り付けられた磁気ネックレスが知られている（例えば、特許文献２参照）。このリングにリング鎖が取り付けられることによってカプセル同士は連結される。
【０００４】
さらに、カプセルの両端に形成された開口にリング鎖の端部が挿入されることにより、隣接するカプセルが連結された磁気ネックレスが知られている（例えば、特許文献３参照）。この磁気ネックレスでは、隣り合うカプセル同士がリング鎖によって連結されている。
【特許文献１】特開２００１−１７８５１２号公報
【特許文献２】実開平０２−１３６６５０号公報
【特許文献３】実開昭５５−３００９１号公報
【発明の開示】
【発明が解決しようとする課題】
【０００５】
ところで、磁気ネックレスのカプセル表面の磁束密度は薬事法によって制限されており、その制限範囲内で定められた表面磁束密度の規格値に基づいて磁気ネックレスを設計している。このため、磁気ネックレスに使用できる永久磁石体の大きさ及び形状には、永久磁石体の種類に応じて一定の制限ができる。また一方で、永久磁石体を収容するカプセルの大きさ及び形状は、デザイン上の制約を受けることとなる。
【０００６】
ここで、デザインされたカプセルの形状に合わせて永久磁石体の形状を定めた場合、表面磁束密度の規格値を超過する事がある。また、表面磁束密度を規格値内にするため永久磁石体を小さくすると、カプセルの姿勢が変化して、カプセル内で永久磁石体が大きく動くこととなる。この場合、カプセルの姿勢すなわち装着者の姿勢等に応じてカプセル表面における磁束密度が大きく変動することとなる。また、カプセル内で永久磁石体の位置が偏っていると、その位置の偏りに応じてカプセル表面における磁束密度のバラツキも増大してしまう。その結果、表面磁束密度の規格値を外れるおそれが生じる。なお、カプセル表面の磁束密度の変動及びバラツキとは、カプセル表面の周方向に沿って測定された磁束密度の変動及びバラツキをいうものとする。
【０００７】
本発明は、上記課題に鑑みてなされたものであり、カプセルの姿勢が変化してもカプセル表面の磁束密度の変動が抑制されており、且つ、カプセル表面の磁束密度のバラツキが少ない磁気ネックレスを提供することを目的とする。
【課題を解決するための手段】
【０００８】
上述の課題を解決するため、本発明の磁気ネックレスは、筒状のカプセルと、カプセルに接続されており環を形成可能なひも状部材と、カプセル内に収容されておりカプセルの軸に沿って延びる柱状の永久磁石体と、永久磁石体がカプセルの軸と略同軸となるように永久磁石体を保持するスペーサと、を備える。
【０００９】
本発明の磁気ネックレスによれば、スペーサによってカプセル内の永久磁石体がカプセルと略同軸に保たれる。したがって、カプセルの姿勢が変化しても、永久磁石体がカプセルの軸と直交する方向に移動しにくいので、カプセル表面の磁束密度の変動が十分に抑制される。また、永久磁石体がカプセルと略同軸に維持されるため、カプセル表面の磁束密度のバラツキを常時低く維持できる。
【００１０】
ここで、カプセル表面の磁束密度のバラツキとは、カプセル表面の周方向に沿って磁束密度を測定したときの最大値と最小値の幅をいうものとする。
【００１１】
また、ひも状部材は、複数のカプセルと、隣り合う複数のカプセル同士を連結する連結部と、を備えると好ましい。これにより、ひも状部材を構成する複数のカプセル中に、更なる永久磁石体を収容することができる。
【００１２】
このような磁気ネックレスにおいては、スペーサは、永久磁石体の側面を覆う筒状体であると好ましい。このような構造を有する磁気ネックレスは製造容易である。また、スペーサが筒状体であれば、永久磁石体の位置をカプセルの軸付近に保持し易くなる。
【００１３】
さらに、スペーサの両端部は、永久磁石体の各端面に向かって曲げられていると好ましい。これにより、筒状体であるスペーサ内に収容されている永久磁石体がスペーサから抜け出しにくくなる。
【００１４】
また、カプセルの両端部は各々先細状にされていると好ましい。この場合、カプセルの姿勢が変化しても、永久磁石体はカプセルの軸方向に動きにくくなる。したがって、カプセル表面の磁束密度の分布がカプセルの軸方向に移動することを抑制できる。
【００１５】
また、スペーサは非磁性の材料から形成されていると好ましい。この場合、スペーサはカプセルの表面磁束密度に寄与しないので、磁気ネックレスの設計が容易になる。
【００１６】
さらに、スペーサと、カプセルとは同一材料から形成されていると好ましい。これにより、カプセルとスペーサとの異種金属間の相互作用によって生じる腐食等の不測の現象を回避できる。
【発明の効果】
【００１７】
本発明によれば、カプセルの姿勢が変化してもカプセル表面の磁束密度の変動が抑制されており、且つ、カプセル表面の磁束密度のバラツキが少ない磁気ネックレスを提供することができる。これにより、様々な大きさや形状のカプセルを磁気ネックレスに採用することができ、カプセルのデザインの自由度が高まる。
【発明を実施するための最良の形態】
【００１８】
以下、本発明の実施の形態に係る磁気ネックレスについて説明する。なお、同一要素には同一符号を用い、重複する説明は省略する。
【００１９】
（第１実施形態）
まず、図１〜図４を参照して、第１実施形態に係る磁気ネックレス１の構造について説明する。
【００２０】
図１は、第１実施形態に係る磁気ネックレス１の平面図である。磁気ネックレス１は、多数の略楕円体のカプセル３と多数の略球体のカプセル５とを有している。カプセル３とカプセル５とは隣り合っており、連結棒７（連結部）によって交互に連結されている。磁気ネックレス１の両端には、繋ぎ玉１１を介して抜きカン１２が各々取り付けられている。一方の抜きカン１２には、Ｃカン１３を介して留め具フック１４が取り付けられており、他方の抜きカン１２には、Ｃカン１３を介して留め具プレート１５が取り付けられている。かかる磁気ネックレス１を首に巻きつけた後に、留め具フック１４を留め具プレート１５に係合させ、磁気ネックレス１を環状にすることによって、磁気ネックレス１を首に装着することができる。
【００２１】
ここで、一つの永久磁石体９が収容されているカプセル３ｘに着目すると、そのカプセル３ｘの一端に連結された、連結棒７、カプセル５、連結棒７、カプセル３、・・・、繋ぎ玉１１、抜きカン１２、Ｃカン１３、及び留め具フック１４の部分ｒ１と、他端に連結された、連結棒７、カプセル５、連結棒７、カプセル３、・・・、繋ぎ玉１１、抜きカン１２、Ｃカン１３、及び留め具プレート１５の部分ｒ２とが、着目したカプセル３ｘを首に巻き付けるための環を形成可能なひも状部材ｒを構成している。すなわち、この場合におけるひも状部材ｒは、多数のカプセル３，５と、隣り合うカプセル３，５同士を連結する連結棒７とを備えることとなる。このようなひも状部材ｒであれば、多数のカプセル３，５中に更なる多数の永久磁石体９を収容することができる。
【００２２】
一部のカプセル３には永久磁石体９が収容されており、残部のカプセル３及びカプセル５には永久磁石体９が収容されていない。永久磁石体９が収容されていないカプセルがあるので、磁力によってカプセル同士が付着してしまうことを抑制できると共に磁気ネックレス１の軽量化を図ることができる。これにより、磁気ネックレス１は取り扱われやすくなる。さらに、磁気ネックレス１において、永久磁石体９は所定の間隔で略均等に配置されているので、磁気ネックレス１が一層取り扱われやすくなり、更には、人体に対して磁力の偏りがなくなる。
【００２３】
図２は、磁気ネックレス１のII−II矢印断面図である。カプセル３は略楕円体の外形をなし、長軸の両端に開口３ａが形成されている。すなわち、カプセル３の両端部は各々先細状にされている。カプセル５は略球体の外形をなし、両端に開口５ａが形成されている。連結棒７の軸部７ａの一端及び他端は、互いに対向する開口３ａ，５ａに各々挿入されている。カプセル３内には、カプセル３の軸Ａｘに沿って延びる略円柱状の永久磁石体９と、永久磁石体９の側面９ｃを覆う円筒状のカバー７０（スペーサ）とが設けられている。このカバー７０によって永久磁石体９は保護される。なお、永久磁石体９及びカバー７０については、図３及び図４を参照して後述する。
【００２４】
連結棒７は、開口３ａの幅（径）より広い幅（径）を有する抜け止め部７ｂを軸部７ａの一端に備え、開口５ａの幅（径）より広い幅（径）を有する抜け止め部７ｃを軸部７ａの他端に備える。これにより、連結棒７が開口３ａ，５ａから抜けないようになっている。開口３ａ，５ａの形状は、例えば円形又は矩形である。開口３ａ，５ａの幅は、開口寸法の最大値で規定される。例えば、円形の場合は円の直径であり、矩形の場合は対角線の長さである。また、抜け止め部７ｂ，７ｃの形状は、例えば円盤状又は矩形の板状である。抜け止め部７ｂ，７ｃの幅は、軸部７ａに略垂直な方向における外形寸法の最大値で規定される。例えば、円盤状の場合は円盤の直径であり、矩形の板状の場合は矩形の板の対角線の長さである。カプセル３，５は、連結棒７の軸部７ａを回転軸として回転可能であり、軸方向に沿ってスライド可能である。
【００２５】
連結棒７の抜け止め部７ｂ，７ｃは、カプセル３，５内に各々収容されている。よって、隣り合うカプセル３，５の間には、実質的に棒状の軸部７ａだけが露出して見えるので、隣り合うカプセル３，５間の連結部が目立ちにくい。したがって、磁気ネックレス１では、カプセル部と連結部とが明確に区別されて見えないので、一見して磁気ネックレスとは分からず、ネックレスの外観を損なわない。
【００２６】
ここで、カプセル３は長さＬの長軸及び長さＳの短軸により外形が規定される略楕円体であるが、長軸の長さＬが短軸の長さＳに対して１．５倍以上３．０倍以下となると好ましく、１．５倍以上２．５倍以下であると更に好ましい。これにより、永久磁石体９をカプセル３の長軸方向に長くすることによって磁束を大きくすることができる。また、カプセル５は、カプセル３の長軸方向に連結されているので、短軸方向に連結されている場合よりも磁気ネックレス１を曲げやすくなる。具体的には、カプセル３の長さＬは例えば８．０ｍｍであり、長さＳは例えば４．０ｍｍである。カプセル５は、例えば直径４．０ｍｍの略球体である。
【００２７】
また、カプセル３の開口３ａとカプセル５の開口５ａとの間の最大離間距離Ｄは、０．５〜３．０ｍｍであると好ましく、０．５〜２．０ｍｍであると更に好ましい。この距離Ｄが０．５ｍｍ未満であると連結棒７が短すぎるため、磁気ネックレス１を曲げにくくなり、更には曲げた際に磁気ネックレス１が切れてしまうおそれがある。一方、この距離Ｄが３．０ｍｍを超えると連結棒７が長すぎるため、磁気ネックレス１を使用する際に、連結棒７が折れるか又は曲がりやすくなる傾向がある。
【００２８】
カプセル３，５及び連結棒７は、チタンを主成分とする金属材料から形成されている。かかる金属材料として、チタン或いはチタン合金等が例示できる。これにより、磁気ネックレス１の軽量化、耐食性の向上、更には磁気ネックレス１を使用する際の金属アレルギーの抑制を実現できる。また、チタンは柔和な色合いを有しているので、シックな雰囲気の磁気ネックレス１が得られる。
【００２９】
続いて、図３及び図４を参照して、カバー７０で覆われた永久磁石体９について詳説する。図３は、カバー７０で覆われた永久磁石体９の斜視図であり、図４(Ａ)及び図４(Ｂ)は、それぞれカバー７０で覆われた永久磁石体９のIVA−IVA矢印断面図及びIVB−IVB矢印断面図である。なお、図２を適宜参照するものとする。
【００３０】
永久磁石体９は略円柱状であり、両端面９ａの縁に沿って円弧面９ｅが形成されている。換言すれば、円弧面９ｅは、円形の端面９ａと円筒形の側面９ｃとの間を接続するように形成されている。これにより、後述するように永久磁石体９をカバー７０内に挿入することが容易になり、また、この挿入の際に永久磁石体９が欠けにくくなる。なお、円弧面とは、円弧が所定の方向に沿って延在することにより形成される凸状の曲面をいう。
【００３１】
また、円弧面９ｅは全ての縁に形成されている。円弧面９ｅの曲率半径Ｒは、０．０５〜１ｍｍであると好ましく、０．１〜０．７ｍｍであると更に好ましく、０．２〜０．５ｍｍであると一層好ましい。また、曲率半径Ｒは、永久磁石体９が収容されるカプセル３の形状に合わせて決定されると好ましい。
【００３２】
永久磁石体９に用いられる磁石としては、Ｓｒ−Ｆｅ系の酸化物磁石、フェライト磁石、ＳｍＣｏ磁石、ＮｄＦｅＢ磁石等を例示できる。
【００３３】
そして、本実施形態において、永久磁石体９の側面９ｃを覆うカバー７０は、略円筒形状をなし、中央部である円筒部７０ｃと、中央部の両端に設けられた両端部７０ｅ，７０ｅとを有する。
【００３４】
円筒部７０ｃは、カバー７０の内周面から所定の距離１ｄ、例えば０．０５ｍｍ離間して配置されている。これにより、後述するように永久磁石体９をカバー７０内に挿入することが容易になり、また、この挿入の際に永久磁石体９が欠けにくくなる。
【００３５】
両端部７０ｅは、永久磁石体９の各端面９ａに向かって曲げられていて、両端部７０ｅの内面は周方向全体にわたって永久磁石体９と接触している。これにより、永久磁石体９がカプセル３の軸Ａｘ方向に抜けにくくなると共に、永久磁石体９がカプセル３の軸Ａｘと直交する方向に、カバー７０に対して相対的に移動することも防止される。
【００３６】
また、両端部７０ｅは、永久磁石体９の円弧面９ｅに沿って曲げられている。これにより、永久磁石体９の抜け防止効果、カプセル３の軸Ａｘと直交する方向の移動防止効果がより高まる。
【００３７】
カバー７０の厚みは周方向で均一となっている。したがって、永久磁石体９をカプセル３と略同軸に保持することが容易にできる。カバー７０の厚みは、カバー７０の外面が周方向全体にわたってカプセル３の内面と接触可能な厚みとなっている。これにより、カバー７０及び永久磁石体９がカプセル３の軸Ａｘと直交する方向に動きにくくなる。
【００３８】
そして、このようなカバー７０は、永久磁石体９をカプセル３と同軸に保持する。したがって、カプセル３の姿勢が変化しても、カプセル３内で永久磁石体９はカプセル３の軸Ａｘと直交する方向に動きにくくなるので、カプセル３表面の磁束密度の変動は抑制される。また、カプセル３内でカプセル３の軸Ａｘと直交する方向における永久磁石体９の偏りは抑制されているので、カプセル３表面の磁束密度のバラツキも少なくなる。
【００３９】
また、カプセル３の両端部が先細なので、カバー７０自体がカプセル３の軸Ａｘ方向へも動きにくくなる。したがって、カプセル３表面の磁束密度の分布がカプセル３の軸Ａｘ方向に移動することを抑制できる。なお、カプセル３の径３ｄはデザインに応じて決まり、永久磁石体９の幅（径）９ｄは設計の規格値によって決まる。したがって、カバー７０の厚みを、これらの変化に応じて永久磁石体９をカプセル３と略同軸に保持できるような厚さに適宜調節すればよい。
【００４０】
なお、永久磁石体９の位置をカプセル３と略同軸に保持できるのであれば、カバー７０とカプセル３との間、及びカバー７０と永久磁石体９との間に永久磁石体９がカプセル３の軸Ａｘと直交する方向に多少動く程度の隙間があっても構わない。
【００４１】
具体的には、永久磁石体９の幅９ｄは、例えば２．６ｍｍ、カバー７０の厚さは、例えば０．１ｍｍ、カバー７０の外径７０ｄは、例えば２．９ｍｍである。
【００４２】
また、カバー７０は非磁性の材料から形成されていると好ましい。この場合、カバー７０は、カプセル３の表面磁束密度に寄与しない。したがって、磁気ネックレス１の設計が容易になる。非磁性の材料としては、チタン、アルミニウム、ステンレス、真鍮等の非磁性金属材料、プラスチック等の樹脂材料等が挙げられる。カバー７０がプラスチック等の樹脂材料である場合、例えば熱収縮チューブによって永久磁石体９を覆うとしてもよい。なお、カバー７０は磁性材料から形成されていてもよい。
【００４３】
また、カバー７０と、永久磁石体９が収容されているカプセル３とは、同一材料から形成されていると好ましい。例えば、カバー７０とカプセル３とがいずれもチタンから形成されていると好ましい。これにより、カプセル３とカバー７０との異種金属間の相互作用によって生じる腐食等の不測の現象を回避できる。なお、カバー７０とカプセル３とは、異なる材料から形成されていてもよい。
【００４４】
以上が磁気ネックレス１の構造である。続いて、図５〜図８を参照して磁気ネックレス１の製造方法について説明する。
【００４５】
図５(Ａ)及び図５(Ｂ)は、永久磁石体９の製造工程を示す斜視図である。まず、着磁されていない磁性粉体を円柱に成型した後に焼結することによって、図５(Ａ)に示した円柱の焼結体６０を製造する。焼結体６０は、端面６０ａ及び側面６０ｃを有しており、これらの間には鋭利な縁６０ｂが形成されている。続いて、この焼結体６０を遠心自動バレル機によって研磨することにより、曲面によって面取りするＲ面取りを縁６０ｂに施す。このＲ面取りによって円弧面９ｅが形成される。Ｒ面取りの大きさを規定する曲率半径Ｒは、バレル機に入れるメディアやバレルを行う時間等の製造条件によって調整され得る。Ｒ面取りを施した後、焼結体を着磁することによって図５(Ｂ)に示した永久磁石体９が製造される。
【００４６】
図６(Ａ)及び図６(Ｂ)は、カバー７０で覆われた永久磁石体９の製造工程を示す斜視図であり、図７(Ａ)及び図７(Ｂ)は、カバー７０で覆われた永久磁石体９の製造工程を示す断面図である。
【００４７】
まず、図６(Ａ)に示すように、上述の円柱状の永久磁石体９より少し長い円筒状のパイプ７１を準備する。このパイプ７１がカバー７０の母体となる。パイプ７１は、円筒部７１ｃの両開口端に端部７１ｅ，７１ｆを有するものである。続いて、図６(Ｂ)に示すように、パイプ７１内に永久磁石体９を挿入する。
【００４８】
次に、図７(Ａ)に示すように、カバー７０の端部７０ｅを形成するための凹部８３〜８６を有する金型である型８０を準備する。その後、型８０を構成する上型８１及び下型８２の間に、永久磁石体９が挿入されたパイプ７１を挿入し、ハンドプレス等によってプレスする。これにより、パイプ７１を永久磁石体９に対してかしめる。
【００４９】
まず、図７(Ａ)に示すように、カバー７０を形成するための第１工程では、下型８２の凹部８３と上型８１の凹部８４とを用いてパイプ７１の一方の端部７１ｅをかしめる。凹部８３と凹部８４とは、互いに対向配置されている。ここで、凹部８３の底面８３ａは略円形の平面をなし、凹部８３の側壁８３ｂは略円筒形をなす。また、凹部８４の底部８４ａは凹面をなし、凹部８４の側壁８４ｂは略円筒形をなす。なお、凹部８３の深さは凹部８４の深さより深くなっている。この工程では、永久磁石体９が挿入されたパイプ７１の端部７１ｆが凹部８３の底面８３ａに接するようにパイプ７１を差し込み、上型８１の凹部８４の底部８４ａがパイプ７１の端部７１ｅにくるようにして端部７１ｅを変形させて、永久磁石体９の端面９ａに向かって曲げることでかしめる。その結果、底部８４ａの凹面によってカバー７０の一方の端部７０ｅを形成できる。その後、永久磁石体９が挿入されたパイプ７１を型８０から取り出す。
【００５０】
次に、図７(Ｂ)に示すように、カバー７０を形成するための第２工程では、下型８２の凹部８５と上型８１の凹部８６とを用いてパイプ７１の他方の端部７１ｆをかしめる。凹部８５，８６は互いに対向配置されており、凹部８４と同一形状を有している。この工程では、第１工程で形成された一方の端部７０ｅが下型８２の凹部８５にくるようにパイプ７１を差し込み、上型８１の凹部８６によってパイプ７１の他方の端部７１ｆを絞る。その結果、凹部８６の底部の凹面によってカバー７０の他方の端部７０ｅを形成できる。これにより、カバー７０の両端部７０ｅを形成することができると共に、永久磁石体９をカバー７０内に収容することができる。
【００５１】
以上のように、型８０を用いてパイプ７１の両端を絞ることによって、カバー７０で覆われた永久磁石体９を製造できる。ここで、永久磁石体９は、その縁に沿って延びる円弧面９ｅを有しているので、かしめる際の縁における永久磁石体９の欠けを抑制できる。
【００５２】
図８は、このようにして得られたカバー７０で覆われた永久磁石体９を用いて磁気ネックレス１を製造する際の製造工程を示す断面図である。まず、例えばチタン製の線材を成型することにより、連結棒７が直線状に複数接続されてなる連結棒３７を形成する。図８においては、連結棒３７は連結棒７が８つ接続されてなる。続いて、例えば外径４．０ｍｍのチタン製のパイプ３８を準備し、パイプ３８に連結棒３７及びカバー７０で覆われた永久磁石体９を交互に収容する。この場合、連結棒３７の長さ或いは個数を調整することにより、カバー７０で覆われた永久磁石体９の配置間隔を決定できる。なお、この状態を図８の領域２０に示す。
【００５３】
次に、カプセル５の形状に対応する凹部５０ａ〜５３ａと、カプセル３の形状に対応する凹部３０ａ〜３３ａとを有する金型である型３５ａを準備し、この型３５ａを構成する上型３６及び下型３５の間にパイプ３８を挟むことによってパイプ３８を絞る。上型３６及び下型３５には、略楕円体のカプセル３と略球体のカプセル５とを一組形成するための領域２１〜２４が予め設けられている。領域２１から領域２４まで、徐々に上型３６及び下型３５の間隙が狭くなるように凹部５０ａ〜５３ａ，３０ａ〜３３ａがそれぞれ設けられている。具体的には、領域２１には凹部５３ａ，３３ａ、領域２２には凹部５２ａ，３２ａ、領域２３には凹部５１ａ，３１ａ、領域２４には凹部５０ａ，３０ａがそれぞれ設けられている。このため、パイプ３８を領域２１から領域２４まで順に送り込むことにより一組のカプセル３，５を形成することができる。
【００５４】
まず、第１の絞り工程では、上型３６及び下型３５の間にパイプ３８を挟み、領域２１に位置するパイプ３８の一部を少し絞る。これにより、一組のカプセル３，５の母体となる部分３３，５３が形成される。続いて、第２の絞り工程では、部分３３，５３が領域２２に来るように、パイプ３８を一組のカプセル３，５の長さ分奥に送り込み、部分３３，５３を更に絞ることによって部分３２，５２を形成する。このとき、領域２１においては、パイプ３８の一部が絞られて新たに部分３３，５３が形成されている。
【００５５】
同様に、第３の絞り工程では、部分３２，５２が領域２３に来るように、パイプ３８を一組のカプセル３，５の長さ分奥に送り込み、部分３２，５２を更に絞ることによって部分３１，５１を形成する。さらに、第４の絞り工程では、部分３１，５１が領域２４に来るように、パイプ３８を一組のカプセル３，５の長さ分奥に送り込み、部分３１，５１を更に絞ることによって部分３０，５０を形成する。このように、第１の絞り工程〜第４の絞り工程を経てパイプ３８を絞ることにより、カプセル３，５の母体となる部分３０，５０を形成できる。
【００５６】
なお、カバー７０で覆われた永久磁石体９は部分３０内に収容されるように配置されている。パイプ３８を絞る際に、部分３０がカバー７０の全周にわたって接触するまで絞ることによって、カバー７０が固定される。この場合、永久磁石体９の保持を容易に行うことができる。また、永久磁石体９はカバー７０で覆われているので、このようにパイプ３８を絞る際において、永久磁石体９のエッジ又はコーナーは欠けにくくなっている。
【００５７】
また、連結棒３７を構成する連結棒７の軸部７ａの位置でパイプ３８は絞られるので、連結棒７の抜け止め部７ｂ，７ｃは、カプセル３，５に収容されるように配置される。
【００５８】
続いて、領域２５において上型３６及び下型３５の間から押し出されたパイプ３８を治具３９によって曲げると、絞られた箇所でパイプ３８が切断される。これにより、カプセル３，５が形成される。このとき、連結棒３７も切断されて連結棒７が形成される。カバー７０で覆われた永久磁石体９が収容されていないカプセル３には、連結棒７が収容されている。この連結棒７は、連結棒３７を分断する際にカプセル３内に残存したものであり、一方の開口３ａに挿入された連結棒７の一端に接続されている。このように、パイプ３８を変形させることによって合わせ目のないカプセル３，５が形成される。
【００５９】
さらに、カプセル３，５及び連結棒７の全体としての長さが、例えば約４３ｃｍとなるように切断した後、両端に繋ぎ玉１１及び抜きカン１２を治具でかしめて繋げる。さらに、一方の抜きカン１２にはＣカン１３を介して留め具フック１４を繋げ、他方の抜きカン１２にはＣカン１３を介して留め具プレート１５を繋げる。以上の工程を経ることにより、磁気ネックレス１を製造することができる。
【００６０】
（第２実施形態）
図９(Ａ)及び図９(Ｂ)は、第２実施形態に係る磁気ネックレスに用いられる永久磁石体９０の断面図である。永久磁石体９０は永久磁石体９の変形例であり、磁気ネックレス１における永久磁石体９を永久磁石体９０に置換することができる。永久磁石体９０は、八角柱の全ての縁に沿って曲率半径Ｒの円弧面９０ｄが形成された形状を有している。換言すれば、円弧面９０ｄは、八角形の端面９０ａと矩形の側面９０ｃとの間、及び、矩形の側面９０ｃ同士の間を接続するように形成されている。
【００６１】
円弧面９０ｄは、縁の一方の角部から他方の角部まで帯状に形成されている。また、角部には、例えば球面の一部のように丸みを帯びた曲面が形成されている。なお、永久磁石体９０は永久磁石体９と同一の製造工程を経て製造される。また、永久磁石体９０に用いられる磁石としては、Ｓｒ−Ｆｅ系の酸化物磁石、フェライト磁石、ＳｍＣｏ磁石、ＮｄＦｅＢ磁石等を例示できる。
【００６２】
カバー７０は、永久磁石体９０の側面９０ｃを覆うように設けられている。カバー７０は円筒部７０ｃを有しており、カバー７０の両開口端には、永久磁石体９０の端面９０ａに向かって曲げられた端部７０ｅが各々設けられている。
【００６３】
（第３実施形態）
図１０(Ａ)及び図１０(Ｂ)は、第３実施形態に係る磁気ネックレスに用いられる永久磁石体９１の断面図である。永久磁石体９１は永久磁石体９の変形例であり、磁気ネックレス１における永久磁石体９を永久磁石体９１に置換することができる。永久磁石体９１は、四角柱の全ての縁に沿って帯状の平面９１ｄが形成された形状を有している。換言すれば、帯状の平面９１ｄは、矩形の端面９１ａと矩形の側面９１ｃとの間、及び、矩形の側面９１ｃ同士の間を接続するように形成されている。平面９１ｄは、端面９１ａ及び側面９１ｃのいずれに対しても４５°の角度をなすと好ましい。
【００６４】
また、平面９１ｄの幅Ｗは、０．０７〜１．５ｍｍであると好ましい。なお、幅Ｗを斜辺とする直角二等辺三角形における直交する二辺の長さＣは、それぞれ０．０５〜１．０ｍｍであると好ましい。
【００６５】
永久磁石体９１の平面９１ｄは、例えば四角柱の縁を平面によって面取りするＣ面取りにより製造される。四角柱の永久磁石体を研削盤上のＶ型治具に固定し、鋭利な縁を削ることによりＣ面取りを行い、平面９１ｄを形成する。この工程を全ての縁に対して行うことによって永久磁石体９１が製造される。四角柱の永久磁石体としては、縦及び横が２ｍｍ、高さが３ｍｍの磁石を例示できる。なお、永久磁石体９１に用いられる磁石としては、Ｓｒ−Ｆｅ系の酸化物磁石、フェライト磁石、ＳｍＣｏ磁石、ＮｄＦｅＢ磁石等を例示できる。
【００６６】
カバー７０は、永久磁石体９１の側面９１ｃを覆うように設けられている。カバー７０は円筒部７０ｃを有しており、カバー７０の両開口端には、永久磁石体９１の端面９１ａに向かって曲げられた端部７０ｅが各々設けられている。
【００６７】
（第４実施形態）
図１１は、第４実施形態に係る磁気ネックレス１００の部分断面図である。磁気ネックレス１００は、磁気ネックレス１におけるカプセル５をカプセル３に置換したものである。このため、磁気ネックレス１００は、全体として統一感のあるものである。
【００６８】
（第５実施形態）
図１２(Ａ)及び図１２(Ｂ)は、第５実施形態に係る磁気ネックレス２００の部分平面図及びそのXIIＢ−XIIＢ矢印断面図である。磁気ネックレス２００は、第４実施形態に係る磁気ネックレス１００におけるカプセル３をカプセル３００に置換したものである。カプセル３００は、カプセル３の表面にカット面３０１〜３０４を形成したものである。カット面３０１〜３０４は、カプセル３の長軸の周方向に均等に配置されている。これにより、光が反射しやすくなるので、光り輝く美しい磁気ネックレス２００が得られる。また、カット面３０１〜３０４に代えて又は加えて、略楕円体の表面に幾何学的模様、動植物等の具体的模様、抽象的模様といった各種模様を施してもよい。これにより、デザイン性に優れた磁気ネックレス２００が得られる。
【００６９】
（第６実施形態）
図１３は、第６実施形態に係る磁気ネックレス４００の部分断面図である。磁気ネックレス４００は複数のカプセル５００を有しており、隣り合うカプセル５００同士はリングチェーン７０１によって連結されている。リングチェーンとは、リングが複数連結されてなるチェーンをいう。カプセル５００の両端には、ネジ等によってフック７００が接続されており、そのフック７００にリングチェーン７０１が係合されている。カプセル５００は両端が閉じられた略円筒形であり、そのカプセル５００内には、第１実施形態と同様のカバー７０で覆われた永久磁石体９が収容されている。カプセル５００の軸方向において、カプセル５００の長さと永久磁石体９の長さとは略同じである。なお、磁気ネックレス４００においては、フック７００及びリングチェーン７０１が連結部を構成している。
【００７０】
この磁気ネックレス４００において、カプセル５００の軸と直交する方向における永久磁石体９の位置は、カプセル５００と略同軸に保持されているので、カプセル５００の表面磁束密度のバラツキは十分に抑制されている。また、カプセル５００の姿勢を変化させても永久磁石体９は殆ど動かないので、カプセル５００の表面磁束密度の変動は十分に抑制されており、且つ、悪化することもない。
【００７１】
以上、本発明の好適な実施形態について詳細に説明したが、本発明は上記実施形態に限定されない。
【００７２】
例えば、上記実施形態では、永久磁石体９は複数のカプセル３に収容されていたが、カプセル３，５のうち少なくとも一つに収容されていればよい。なお、永久磁石体９がカプセル３，５の全てに収容されていてもよい。また、上記実施形態に係る磁気ネックレスでは、複数のカプセル３を有するとしたが、一つのカプセルを有するとしてもよい。この場合、一つのカプセルに、首に巻き付けるためのチェーン等、環を形成可能なひも状部材を接続して磁気ネックレスとすればよい。
【００７３】
また、上記実施形態では、カプセル３，５及び連結棒７はチタンを主成分とする金属材料から形成されているとしたが、真鍮等の他の金属材料或いはプラスチック材料等から形成されていてもよい。
【００７４】
また、上記実施形態では、カプセルは略楕円体の外形をなすか、或いは両端が閉じられた略円筒形であるとしたが、断面形状の外形が四角形、六角形、八角形等の多角形の筒状体の両端が閉じられたものであるとしてもよい。
【００７５】
また、上記実施形態では、柱状の永久磁石体として円柱状、四角柱状及び八角柱状の永久磁石体を示したが、六角柱状等の角柱状であってもよい。さらに、永久磁石体の縁に円弧面又は平面が形成されているとしたが、これらが形成されていないとしてもよい。
【００７６】
また、上記実施形態では、スペーサは円筒状のカバー７０であるとしたが、断面形状の外形が四角形、六角形、八角形等の多角形である筒状体であるとしてもよい。また、スペーサは、カプセル３の軸Ａｘから径方向に放射状に同じ長さで延びる複数の棒状部材等により構成されているとしてもよい。
【００７７】
また、上記実施形態では、カバー７０の両端部７０ｅは、永久磁石体９の端面９ａに向かって曲げられているとしたが、両端部７０ｅが曲げられていない筒状のスペーサでもよい。このような場合には、例えばカバー７０を永久磁石体９に密着させて永久磁石体９を固定するとしてもよい。
【００７８】
また、上記第５実施形態に係る磁気ネックレス２００にカット面を形成したが、他の実施形態に係る磁気ネックレスにカット面を形成してもよい。
【００７９】
また、上記実施形態におけるひも状部材は、ボールチェーン或いはリングチェーンのように複数のカプセルと連結部とを備えるものであるとしたが、皮ひも等でもよい。また、上記第１実施形態では、ひも状部材ｒは部分ｒ１と部分ｒ２に分かれていたが、一本のボールチェーン、リングチェーン又は皮ひも等でもよい。
【図面の簡単な説明】
【００８０】
【図１】第１実施形態に係る磁気ネックレスの平面図である。
【図２】磁気ネックレスのII−II矢印断面図である。
【図３】カバーで覆われた永久磁石体の斜視図である。
【図４】それぞれカバーで覆われた永久磁石体のIVA−IVA矢印断面図及びIVB−IVB矢印断面図である。
【図５】永久磁石体の製造工程を示す斜視図である。
【図６】カバーで覆われた永久磁石体の製造工程を示す斜視図である。
【図７】カバーで覆われた永久磁石体の製造工程を示す断面図である。
【図８】カバーで覆われた永久磁石体を用いて磁気ネックレスを製造する際の製造工程を示す断面図である。
【図９】第２実施形態に係る磁気ネックレスに用いられる永久磁石体の断面図である。
【図１０】第３実施形態に係る磁気ネックレスに用いられる永久磁石体の断面図である。
【図１１】第４実施形態に係る磁気ネックレスの部分断面図である。
【図１２】第５実施形態に係る磁気ネックレスの部分平面図及びそのXIIＢ−XIIＢ矢印断面図である。
【図１３】第６実施形態に係る磁気ネックレスの部分断面図である。
【符号の説明】
【００８１】
１，１００，２００，４００…磁気ネックレス、３ａ，５ａ…開口、３，５，３００，５００…カプセル、７…連結棒（連結部）、７ａ…軸部、７ｂ，７ｃ…抜け止め部、９，９０，９１…永久磁石体、３５…下型、３６…上型、３５ａ…型、３０ａ〜３３ａ，５０ａ〜５３ａ…凹部、３８…パイプ、３０１〜３０４…カット面、９ｃ，９０ｃ，９１ｃ…永久磁石体の側面、９ａ，９０ａ，９１ａ…永久磁石体の端面、７０…カバー（スペーサ）、７０ｅ…カバーの端部、Ａｘ…カプセルの軸、ｒ…ひも状部材。
【図１】
2005131120.tif 000003
【図２】
2005131120.tif 000004
【図３】
2005131120.tif 000005
【図４】
2005131120.tif 000006
【図５】
2005131120.tif 000007
【図６】
2005131120.tif 000008
【図７】
2005131120.tif 000009
【図８】
2005131120.tif 000010
【図９】
2005131120.tif 000011
【図１０】
2005131120.tif 000012
【図１１】
2005131120.tif 000013
【図１２】
2005131120.tif 000014
【図１３】
2005131120.tif 000015